(57)【要約】      （修正有）【課題】ソレノイドの根本的な動作原理に影響を与えず、大きなストローク量での推力を実現できるソレノイドを提供する。【解決手段】プランジャー２と、プランジャー２を収納する収納部３と、収納部３の外周の一部に設けられる中継リング４と、収納部３および中継リング４の周囲にまかれる導電性の巻線５と、を備え、中継リング４は、収納部３に収納されるプランジャー２の外周の一部と重複する位置に設けられ、中継リング４は、磁性体である。【選択図】図１
2015177616.tif 000002
【特許請求の範囲】
【請求項１】
プランジャーと、
前記プランジャーを収納する収納部と、
前記収納部の外周の一部に設けられる中継リングと、
前記収納部および前記中継リングの周囲にまかれる導電性の巻線と、を備え、
前記中継リングは、前記収納部に収納される前記プランジャーの外周の一部と重複する位置に設けられ、
前記中継リングは、磁性体であるソレノイド。
【請求項２】
前記収納部は、前記プランジャーが突出する開口部と前記プランジャーが収納される際の停止位置となる終端と、を有し、
前記中継リングは、前記収納部の外周において、前記終端側に設けられる、請求項１記載のソレノイド。
【請求項３】
前記中継リングの前記開口部側の端部は、前記プランジャーの最大突出時における前記プランジャーの端部と略一致する、請求項１または２記載のソレノイド。
【請求項４】
前記プランジャーは前記終端側においてテーパー部を有し、
前記中継リングの長さは、前記テーパー部の長さと略同一である、請求項１から３のいずれか記載のソレノイド。
【請求項５】
前記終端は磁性体であり、前記巻線への通電による磁界は、前記終端を中心に発生し、
前記中継リングは、前記終端を中心に発生する磁界を、前記開口部側に拡大する、請求項２から４のいずれか記載のソレノイド。
【請求項６】
前記中継リングは、前記プランジャーが前記収納部から突出する場合の前記収納部の空き空間に、磁界を拡大する、請求項５記載のソレノイド。
【請求項７】
前記プランジャーの最大突出量は、２０ｍｍ〜４０ｍｍである、請求項１から６のいずれか記載のソレノイド。
【請求項８】
前記プランジャー、前記収納部および前記中継リングのそれぞれの断面形状は、略同一である、請求項１から７のいずれか記載のソレノイド。
【請求項９】
前記中継リングは、複数のリング状部材の積み重ねで構成される、請求項１から８のいずれか記載のソレノイド。
【請求項１０】
前記中継リングは、所定位置に、前記収納部の外周に沿った空隙を有する、請求項１から９のいずれか記載のソレノイド。
【請求項１１】
前記空隙は、前記中継リングの略中央に位置する、請求項１０記載のソレノイド。
【請求項１２】
前記中継リングは、その外周に外部へ突出する凸部を有する、請求項１から１１のいずれか記載のソレノイド。
【請求項１３】
前記中継リングは、その外周に凹部を有する、請求項１から１１のいずれか記載のソレノイド。
【請求項１４】
請求項１から１３のいずれか記載のソレノイドと、
前記巻線に電力を供給する電力供給部と、
前記電力供給部の電力供給を制御する制御部と、を備え、
前記プランジャーは、対象物を往復動作で移動させる、部品供給・除去装置。
【発明の詳細な説明】
【技術分野】
【０００１】
本発明は、ソレノイドであって、筐体およびプランジャーの大型化をせずに、プランジャーのストローク動作を増大させたソレノイドに関する。
【背景技術】
【０００２】
電子ロックや自動車のシフトレバーのロック機構などに、ソレノイドが利用されている。ソレノイドは、往復動作であるストローク動作を行うプランジャーと、プランジャーの周囲のコイル、筐体などを備える。コイルは、導電線の巻線が施されており、巻線に電流が付与されると、コイルが磁力を帯びて磁界を生じさせる。この磁界により、プランジャーのストローク動作が実現される。
【０００３】
近年、電子ロックや自動車のシフトレバーのロック機構などは、複雑化していると共に高性能化している。このため、これらのロック機構などに用いられるソレノイドには、長いストローク動作が要求される。すなわち、プランジャーのコイルからの突出量が大きくても、推力が低下せずに高い吸引力を維持できることが要求される。
【０００４】
また、工場や事業場における製造対象物の製造においては、様々な製造工程が実行される。製造工程においては、種々の自動化が進んでおり、工作機械、組み立て機械、製造ロボットなどが利用されて、様々な製造工程が実行される。製造工程では、コンベアラインに部品を供給したり、コンベアラインから部品が取り除かれたりする工程が行われる。この工程では、部品を直線動作させることが必要であり、電動モーター駆動装置やエアシリンダーが用いられることが多い。
【０００５】
電動モーター駆動装置は、電動モーターからの回転力を直線運動に変化させて、ピストンを往復運動させる。このピストンの往復運動により、コンベアラインを基準として、部品を往復運動させる。この往復運動によって、電動モーター駆動装置は、コンベアラインに部品を供給したり（ピストンで部品を押し出す）、コンベアラインから部品を取り除いたりできる。
【０００６】
エアシリンダーは、接続されるコンプレッサーからの空気圧力を受けて、ピストンを往復運動させる。ピストンの往復運動により、エアシリンダーは、コンベアラインを基準として、部品を往復運動させる。こうして、エアシリンダーも、コンベアラインへ部品を供給したり、コンベアラインから部品を取り除いたりできる。
【０００７】
もちろん、電動モーター駆動装置やエアシリンダーは、コンベアラインを基準とした部品の往復運動だけでなく、部品や製品の位置決めなどを行う事もできる。
【０００８】
しかしながら、電動モーター駆動装置は、高いコストを要する。また、電動モーター駆動装置は、電源、モーター部分、伝達部分、ピストンなど多くの要素の組み合わせであるので、装置も大掛かりとなる。一方で、工場の製造ラインは、複雑化しており、装置の設置領域が十分に確保できない状況にある。このような工場において、大掛かりな装置となる電動モーター駆動装置を、製造工程の一部のために設置することができない問題も生じている。
【０００９】
エアシリンダーも、電動モーター駆動装置と同様に、高いコストと広い設置領域を必要とする。加えて、エアシリンダーは、エアコンプレッサーを必要とするが、このエアコンプレッサーの設置領域が確保しにくい問題がある。また、エアコンプレッサーは、空気を取り扱う装置である。これに対して、工場の製造ラインの各工程は、電気を動力源としている。すなわち、一つの製造ラインにおいて、電気を動力とする工程と、空気を動力とする工程とが混在することになる。
【００１０】
このような動力源の混在は、製造ラインを構築する上で不便である。また、エアシリンダーは、空気を動力源とするため、設置領域のみならずライン構築上の制限や制約により、製造ラインの一部に設置が困難となることも多い。特に、近年の省エネルギーが求められる製造ラインや複雑化する製造ラインでは、これらの電動モーター駆動装置やエアシリンダーが設置困難となることも生じている。
【００１１】
このように、部品の往復運動を生じさせる製造工程に、電動モーター駆動装置やエアシリンダーではなく、ソレノイドが用いられることが求められるようになっている。ソレノイドも、プランジャーを往復動作させるので、電動モーター駆動装置やエアシリンダーに置き換わることが可能である。
【００１２】
しかしながら、ソレノイドは、その筐体とプランジャーの大きさにもよるが、磁界による推力のみであるので、筐体からのプランジャーの突出量（ストローク量）が小さい問題を有している。例えば、筐体やプランジャーが６０ｍｍ〜８０ｍｍ程度の市販では大型のソレノイドであっても、プランジャーのストローク量は、１０ｍｍ〜１５ｍｍ程度である。
【００１３】
これ以上のストローク量になると、コイルからの磁界のみでは推力が不足する。推力が不足すると、プランジャーがコイルに戻りきれなくなり、往復運動の繰り返しが実現できない。当然に、部品の往復運動を繰り返し実行することができない。
【００１４】
また、１０ｍｍ〜１５ｍｍ程度のストローク量は、コンベアラインにおける部品の供給や除去などの工程実現には不足している。より大きなストローク量が必要である。
【００１５】
このような状況で、ロングストロークのソレノイドが提案されている（例えば、特許文献１参照）。
【先行技術文献】
【特許文献】
【００１６】
【特許文献１】特開２００１−１４５３２１号公報
【発明の概要】
【発明が解決しようとする課題】
【００１７】
特許文献１は、ケースとベースを有しコイルに通電することにより可動子が可動するソレノイドにおいて、コイルと可動子の間に円筒状固定鉄心を備え、円筒状固定鉄心は永久磁石よりなる円筒状固定鉄心と磁性材よりなる円筒状固定鉄心とを備え、永久磁石よりなる円筒状固定鉄心と磁性材よりなる円筒状固定鉄心との間に隙間を有するように構成してあることを特徴としたロングストロークソレノイドを開示する。
【００１８】
特許文献１は、コイルの通電による磁界の発生に加えて、コイル以外の永久磁石による磁界を加えて、可動子のストローク量を大きくすることを目的としている。永久磁石は、コイルの通電に関係なく、常に磁界を発生しているので、コイルへの通電で不足する磁界を補うことを目的としている。
【００１９】
しかしながら、永久磁石を用いることで、特許文献１のソレノイドは部品コストおよび製造コストが増加する問題を有している。また、永久磁石を含むことで、ソレノイド全体の強度や耐久性が低下する問題も有している。
【００２０】
また、永久磁石は常に磁界を発生させている。このため、コイルへの通電で発生する間欠的な磁界とのバッティングが生じてしまい、可動子の突出へ悪影響が出たり、逆に可動子の引き戻しへの悪影響が出たりする問題も生じる。
【００２１】
そもそもソレノイドは、必要な時のみに磁界を発生させることで、プランジャーを往復運動させることを目的としている。にも係らず、特許文献１のように、恒常的に磁界を発生させる永久磁石を用いることは、ソレノイドの基本動作に悪影響を与える懸念がある。
【００２２】
このような問題により、特許文献１に開示されるソレノイドは、大きなストローク量を必要とするロック機構や工場の製造工程に用いることが難しい。
【００２３】
本発明は、上記の課題に鑑み、ソレノイドの根本的な動作原理に影響を与えず、大きなストローク量での推力を実現できるソレノイドを提供することを目的とする。
【課題を解決するための手段】
【００２４】
上記課題に鑑み、本発明のソレノイドは、プランジャーと、
プランジャーを収納する収納部と、
収納部の外周の一部に設けられる中継リングと、
収納部および中継リングの周囲にまかれる導電性の巻線と、を備え、
中継リングは、収納部に収納されるプランジャーの外周の一部と重複する位置に設けられ、
中継リングは、磁性体である。
【発明の効果】
【００２５】
本発明のソレノイドは、筐体およびプランジャーの大きさに対して、大きなストローク量を実現できる。大きなストローク量でプランジャーが突出する場合でも、十分な推力で、プランジャーを筐体に引き戻すことができる。
【００２６】
また、本発明のソレノイドは、永久磁石の磁界とコイルによる磁界とのバッティングを生じさせない。この結果、本発明のソレノイドは、ソレノイドとしての基本動作に問題を生じさせることがない。このため、確実に繰り返される往復運動を実現でき、ロック機構や工場での製造工程などに適用できる。
【００２７】
更に、簡便な構成で実現されるので、部品コストや製造コストを抑えることもできる。
【図面の簡単な説明】
【００２８】
【図１】本発明の実施の形態１におけるソレノイドの正面図である。
【図２】本発明の実施の形態１におけるソレノイドの正面図である。
【図３】本発明の実施の形態２におけるソレノイドの正面図である。
【図４】本発明の実施の形態２におけるソレノイドの正面図である。
【図５】本発明の実施の形態２におけるソレノイドの正面図である。
【図６】本発明の実施の形態２におけるソレノイドの正面図である。
【図７】本発明の実施の形態３におけるソレノイドの引き戻し能力を測定した実験結果のグラフである。
【発明を実施するための形態】
【００２９】
本発明の第１の発明に係るソレノイドは、プランジャーと、
プランジャーを収納する収納部と、
収納部の外周の一部に設けられる中継リングと、
収納部および中継リングの周囲にまかれる導電性の巻線と、を備え、
中継リングは、収納部に収納されるプランジャーの外周の一部と重複する位置に設けられ、
中継リングは、磁性体である。
【００３０】
この構成により、ソレノイドは、プランジャーの突出量が大きくても、十分な引き戻し力で引き戻すことができる。
【００３１】
本発明の第２の発明に係るソレノイドでは、第１の発明に加えて、収納部は、プランジャーが突出する開口部とプランジャーが収納される際の停止位置となる終端と、を有し、
中継リングは、収納部の外周において、終端側に設けられる。
【００３２】
この構成により、中継リングは、終端に集まりやすい磁界を、開口部側に拡大することができる。
【００３３】
本発明の第３の発明に係るソレノイドでは、第１または第２の発明に加えて、中継リングの開口部側の端部は、プランジャーの最大突出時におけるプランジャーの端部と略一致する。
【００３４】
この構成により、中継リングによる磁界の拡大によるプランジャーの引き戻し力が、プランジャーの突出量に最適に合わされる。
【００３５】
本発明の第４の発明に係るソレノイドでは、第１から第３のいずれかの発明に加えて、プランジャーは終端側においてテーパー部を有し、中継リングの長さは、テーパー部の長さと略同一である。
【００３６】
この構成により、中継リングによる磁界の拡大によるプランジャーの引き戻し力が、プランジャーのテーパー部に最適に合わされる。結果として、引き戻し力が高まる。
【００３７】
本発明の第５の発明に係るソレノイドでは、第２から第４のいずれかの発明に加えて、終端は磁性体であり、巻線への通電による磁界は、終端を中心に発生し、中継リングは、終端を中心に発生する磁界を、開口部側に拡大する。
【００３８】
この構成により、プランジャーの突出量が大きくても、中継リングを活用して、ソレノイドはプランジャーを引き戻すことができる。
【００３９】
本発明の第６の発明に係るソレノイドでは、第５の発明に加えて、中継リングは、プランジャーが収納部から突出する場合の収納部の空き空間に、磁界を拡大する。
【００４０】
この構成により、プランジャーの最大突出時にも対応して、ソレノイドは中継リングを利用した引き戻しを行える。
【００４１】
本発明の第７の発明に係るソレノイドでは、第１から第６のいずれかの発明に加えて、プランジャーの最大突出量は、２０ｍｍ〜４０ｍｍである。
【００４２】
この構成により、ソレノイドは、プランジャーの突出量が大きくても、十分に引き戻すことができる。
【００４３】
本発明の第８の発明に係るソレノイドでは、第１から第７のいずれかの発明に加えて、プランジャー、収納部および中継リングのそれぞれの断面形状は、略同一である。
【００４４】
この構成により、ソレノイドの構成が簡便となる。
【００４５】
本発明の第９の発明に係るソレノイドでは、第１から第８のいずれかの発明に加えて、中継リングは、複数のリング状部材の積み重ねで構成される。
【００４６】
この構成により、中継リングの大きさや形状のフレキシビリティが高まる。
【００４７】
本発明の第１０の発明に係るソレノイドでは、第１から第９のいずれかの発明に加えて、中継リングは、所定位置に、収納部の外周に沿った空隙を有する。
【００４８】
この構成により、中継リングによる磁界の拡大の態様を変化させることができる。
【００４９】
本発明の第１１の発明に係るソレノイドでは、第１０の発明に加えて、空隙は、中継リングの略中央に位置する。
【００５０】
この構成により、中継リングによる磁界の拡大を２段階にできる。
【００５１】
本発明の第１２の発明に係るソレノイドでは、第１から第１１のいずれかの発明に加えて、中継リングは、その外周に外部へ突出する凸部を有する。
【００５２】
この構成により、中継リングによる磁界の拡大のバリエーションを増やすことができる。
【００５３】
本発明の第１３の発明に係るソレノイドでは、第１から第１１のいずれかの発明に加えて、中継リングは、その外周に凹部を有する。
【００５４】
この構成により、中継リングによる磁界の拡大のバリエーションを増やすことができる。
【００５５】
以下、図面を参照しながら、本発明の実施の形態を説明する。
【００５６】
（実施の形態１）
【００５７】
（全体概要）
まず、実施の形態１におけるソレノイドの全体概要を説明する。図１は、本発明の実施の形態１におけるソレノイドの正面図である。図１は、ソレノイド１の内部構成が分かるように、内部を透視した状態で示している。ソレノイド１は、プランジャー２、収納部３、中継リング４、巻線５と、を備える。また、これら要素を収容する筐体６を備える。
【００５８】
また、ソレノイド１の使用態様に応じて、プランジャー２の先端であって終端３２側にプッシュピン７が備わってもよい。
【００５９】
収納部３は、プランジャー２を収容する。プランジャー２は、収納部３内部で、磁界や弾性力によって往復動作する。このため、収納部３は、プランジャー２の直径にあわせた内径を有している。このように、プランジャー２は、収納部３に収容された状態で往復運動して、ソレノイド１に必要となる押出や引き込み動作を実現する。
【００６０】
収納部３は、ソレノイド１として磁界をプランジャー２に付与してプランジャー２の往復運動を実現するため、非磁性材で形成される。例えば樹脂や非金属で形成されれば良い。また収納部３は、プランジャー２を収容しつつ往復運動を実現してプランジャー２を突出させることができるように、その一方に開口部３１を有する。この開口部３１からプランジャー２が磁界による往復運動で突出する。
【００６１】
収納部３は、開口部３１と逆側は、プランジャー２が収納される際の停止位置となる終端３２を有している。すなわち、収納部３は、プランジャー２が突出あるいは挿入される端部である開口部３１と、挿入されて収容されるプランジャー２の停止位置となる端部である終端３２とによって挟まれている。
【００６２】
プランジャー２は、磁界の付与によって収納部３内部を往復動作する。更に、磁界の付与以外に弾性力の付与を受けることで、プランジャー２は収納部３内部を往復動作する。このとき、磁界によるプランジャー２の移動方向と弾性力によるプランジャー２の移動方向は、異なる。例えば、弾性力によってプランジャー２は、終端３２から開口部３１に向けた方向を移動する。すなわち、弾性力によって、プランジャー２は、開口部３１から突出できる。この突出によって、例えばソレノイド１は、プランジャー２の先端でデバイスや部材を押し出すことができる。
【００６３】
逆に、磁界によってプランジャー２は、開口部３１から終端３２に向けた方向を移動する。すなわち、磁界によってプランジャー２は、突出していた状態から収納部３に収納される状態に戻る。プランジャー２の突出可能量は、この磁界によって突出状態から収納状態に戻ることのできる突出量に基づいて定義される。例えば、プランジャー２が終端３２（もしくは開口部３１）を基準に２０ｍｍ突出している状態で、巻線５による磁界によって収納部３を終端３２まで戻ることができれば、当該ソレノイド１は、２０ｍｍの突出可能量（動作量）として定義できる。
【００６４】
中継リング４は、収納部３の外周の一部に設けられる。中継リング４は、磁性材で形成される。すなわち、中継リング４は、磁性体である。但し、中継リング４は、永久磁石ではなく、電流で生じる磁界によって磁力を有するようになる。
【００６５】
中継リング４は、収納部３に収納されるプランジャー２の外周の一部と重複する位置に設けられる。巻線５は、収納部３および中継リング４の外周に巻き付けられる。巻線５は、銅線などの導電性である。
【００６６】
収納部３は、非磁性材で形成されているので、巻線５に電流が流されることで生じる磁界は、収納部３において磁界の収束や拡大を生じさせる力が弱い。一方で収納部３が磁性体であると、磁性体であるプランジャー２の往復動作を妨げる可能性がある。
【００６７】
また、終端３２は磁性体である。このため、巻線５に電流が流れることで生じる磁界は、終端３２を中心に発生する。終端３２は、収納部３の開口部３１と逆側であるので、磁界は、終端３２側でより強く発生し、開口部３１では磁界は弱い。
【００６８】
この状況でプランジャー２の突出量が大きい場合には、プランジャー２の終端側は、終端３２からより遠ざかる状態となる。この遠ざかった状態では、巻線５が発生させる磁界（終端３２を中心として発生する）は、プランジャー２に及びにくい。この状態では、突出しているプランジャー２は、収納部３に引き戻されにくい。これが従来技術の状態である。
【００６９】
中継リング４は、磁性体であるので巻線５に電流が流されることで磁界の発生を終端３２から収納部３の往復運動方向に拡大することができる。言い換えれば、中継リング４は、磁界の発生を終端３２から開口部３１に向けて拡大することができる。この結果、終端３２を中心に発生する磁界は、終端３２から開口部３１に向けて広い範囲で発生しやすくなる。
【００７０】
この磁界の範囲拡大によって、終端３２から離れて突出しているプランジャー２に磁界が及ぶようになる。磁界が及べば、プランジャー２が磁界による吸引力によって、収納部３に引き戻されるようになる。
【００７１】
このように実施の形態１におけるソレノイド１は、磁性体である中継リング４が備わることで、プランジャー２の突出量が大きくても、十分な力でプランジャー２を収納部３に引き戻すことができる。この結果、ソレノイド１は、プランジャー２をより大きく突出させることができる。
【００７２】
（ソレノイドの動作説明）
図２は、本発明の実施の形態１におけるソレノイドの正面図である。図２は、図１と同じく内部が透視可能な状態である。図１と同じ符号を付しているものは同様の要素である。
【００７３】
図１では、プランジャー２が収納部３に収容されている状態が示されている。図２では、プランジャー２が収納部３から開口部３１を通じて突出している状態が示されている。
【００７４】
図１、図２では、ソレノイド１がプランジャー２の先端であって終端３２側にプッシュピン７を接続している。このため、ソレノイド１は、プッシュピン７を終端３２から突出させたり引き戻したりすることで、対象物を押し出したり引き戻したりできる。例えば、プッシュピン７の前方に対象物が設置されている。ソレノイド１は、プッシュピン７を押し出すことで、対象物を押し出す。逆に、ソレノイド１は、プッシュピン７を引き戻すことで、対象物を引き戻す。
【００７５】
対象物が、コンベア上を流れる部品であれば、ソレノイド１は、連続的にプッシュピン７を押し出して、次々と流れてくる部品を押し出す。部品は、押し出されることで次の工程に投入される。
【００７６】
あるいは対象物が前後移動を要する部材である場合には、ソレノイド１は、断続的にプッシュピン７を押し出したり引き戻したりすることで、部材を前後移動させる。この場合には、プッシュピン７の先端が部材と接続されていたり嵌合されていたりすることも好適である。
【００７７】
このように、ソレノイド１は、プッシュピン７を用いて対象物を押し出したり引き戻したりして、工場の製造工程で用いられたり、機械の一部の部材の前後移動動作を実現したりする。
【００７８】
また、図１、図２でのソレノイド１は、プッシュピン７を備えているが、プッシュピン７を備えていない場合には、プランジャー２の開口部３１側の先端を用いて、やはり対象物を押し出したり引き戻したりできる。いずれの構成においても、ソレノイド１は、プランジャー２の前後運動によって対象物を前後運動させることができる。
【００７９】
図１の状態をソレノイド１の動作開始状態とする。すなわち、ソレノイド１は、プランジャー２を収納部３に収容している。プランジャー２の一端は、終端３２に到達して収容されている。プランジャー２は、終端３２側にテーパー部２１を備えていることが好適である。テーパー部２１を備えていることで、巻線５に電流が通電した際に生じる磁界によるプランジャー２の動作に好影響が生じるからである。
【００８０】
図１の状態から、ソレノイド１は、バネなどの弾性力を用いてプランジャー２を突出させる。すなわち、図２の状態になる。プランジャー２の突出は、収納部３の開口部３１側からの突出である。言い換えれば、プッシュピン７は収納部３側に引き戻される。
【００８１】
プランジャー２が開口部３１から突出した状態になることで、プッシュピン７が収納部３側に引き戻される。すなわち、プッシュピン７が対象物を押し出すための準備状態になる。
【００８２】
図２の状態となったところで、巻線５に電流が付与される。巻線５は、収納部３の外周に巻かれている。巻線５に電流が通電すると、ソレノイド１の周囲に磁界が発生する。この磁界によって収納部３は電磁石と同じ磁力を発生させる。この磁力によって、磁性体であるプランジャー２は、収納部３に引き戻される。この引き戻しによって、図１の状態に戻る。プランジャー２の一端は、終端３２に到達する。
【００８３】
プランジャー２が収納部３に引き戻されることで、プッシュピン７が終端３２から突出する状態となる。図１に示されるとおりである。プッシュピン７が突出することで、プッシュピン７は対象物を押し出すことができる。
【００８４】
ここで、ソレノイド１が使用される状況によっては、プッシュピン７と対象物との距離を大きくしなければならない場合もある。あるいは、プッシュピン７がより大きな力を対象物に付与しなければならない場合もある。これらの場合には、プランジャー２の突出量を大きくする必要がある。プランジャー２の突出量が大きいことは、プランジャー２の往復運動の長さが大きくなり、プッシュピン７の往復運動の長さが大きくなるからである。
【００８５】
ここで、従来技術でも説明した通り、プランジャー２の引き戻しは、巻線５が生じさせる磁界によって実現される。ここで、終端３２は磁性体であり、巻線５による磁界は、終端３２を中心に発生する。このため、プランジャー２は、終端３２を基点として収納部３に引き戻されるように動く。この動作のために、プランジャー２の突出量が大きいと（すなわち、プランジャー２は終端３２に対して遠ざかっている）、磁界によってプランジャー２が確実に引き戻されないことも生じうる。
【００８６】
ここで、実施の形態１のソレノイド１は、磁性体である中継リング４を備えている。この中継リング４は、図１、図２に示されるように、収納部３の外周であって終端３２側に近い方向に設けられる。すなわち、収納部３の中央よりも終端３２側に偏って取り付けられている。
【００８７】
中継リング４は、巻線５が終端３２を中心に発生させる磁界を、開口部３１に向けて拡大する。すなわち、磁界が終端３２から開口部３１に向けて広がる。この磁界の広がりによって、プランジャー２の突出量が大きい場合でも、プランジャー２へ磁界の付与の力が強くなる。
【００８８】
このように、磁性体である中継リング４は、プランジャー２が収納部３から突出する場合の収納部３の空き空間に磁界を拡大できる。この結果、プランジャー２の突出量が大きい場合でも、巻線５に通電されることで生じる磁界がプランジャー２の突出により生じている空き空間に広がる。この磁界の拡大によって、プランジャー２が大きく突出している状態でも、プランジャー２は、収納部３に確実に引き戻される。
【００８９】
推測されるメカニズムは次の通りである。まず、プランジャー２が最大突出している状態で巻線５に電流が流される。この通電によって磁界が発生するが、中継リング４によって磁界の範囲が終端３２から開口部３１側に拡大する。この拡大している磁界によって、最大突出状態のプランジャー２が引き戻され始める。プランジャー２が引き戻され始めると、プランジャー２は次第に終端３２に近づく。
【００９０】
終端３２は、巻線５によって発生している強い磁界を有している。このため、中継リング４の磁界によって終端３２に近づいたプランジャー２を、終端３２近辺の磁界が更に引き戻す。この２段階目の引き戻しによって、プランジャー２は、収納部３に完全に収納される。
【００９１】
中継リング４によって、プランジャー２の突出量が大きい場合でも、確実に収納部３に引き戻される。プランジャー２が収納部３に確実に（終端３２まで）引き戻されることで、図１に示されるようにプッシュピン７が終端３２側から突出できる。
【００９２】
このようなメカニズムと動作によって、ソレノイド１は、長いストロークでの往復運動を実現できる。工場の製造工程や機械などの様々な場面で、従来のエアーコンプレッサーや電気モーターを使って往復運動を使用していたデバイスを、ソレノイド１で置き換えることができるようになる。この置き換えによって、工場や機械などの小型化、簡素化、低コスト化をも実現できる。
【００９３】
次に、各部の詳細について説明する。
【００９４】
（プランジャー）
プランジャー２は、ソレノイド１において磁界や弾性力に基づいて往復運動を行う。収納部３に収納されている状態で、開口部３１から突出したり、収納部３に引き戻されたりする。プランジャー２は、磁界による往復運動を実現するために、磁性体であることが好ましい。このため、金属や合金などの磁性材で形成される。
【００９５】
収納部３および筐体６の大きさとの関係によるが、プランジャー２の開口部３１からの最大突出量は、２０ｍｍ〜４０ｍｍであることが好ましい。一般的なソレノイドは、実施の形態１におけるソレノイド１と同サイズの収納部や筐体で、その最大突出量は１０ｍｍ程度である。
【００９６】
実施の形態１におけるソレノイド１は、中継リング４による磁界の拡大効果により、最大突出量が２０ｍｍ〜４０ｍｍと大きくできる。なお、最大突出量が２０ｍｍ〜４０ｍｍであることで、収納部３の長さは、この最大突出量を考慮していることが適当である。
【００９７】
プランジャー２は、収納部３に収納された状態で往復運動できる。このため、プランジャー２の断面形状は、収納部３の断面形状と略同一であることが好ましい。
【００９８】
プランジャー２は、終端３２側にテーパー部２１を有していることが好ましい。テーパー部２１によって、プッシュピン７との接続が容易となるからである。また、テーパー部２１を備えることで、プランジャー２が引き戻されやすくなる。終端３２や中継リング４を基準として発生する磁界は、テーパー部２１に影響を及ぼしやすくなるからである。
【００９９】
プランジャー２の開口部３１側の先端は、ソレノイド１の使用態様に応じた形状を有していればよい。
【０１００】
（収納部）
収納部３は、プランジャー２の往復動作を実現するための収納領域である。プランジャー２が往復動作する際に、プランジャー２を安定させる役割も担う。
【０１０１】
収納部３は、一方に開口部３１を他方に終端３２を備える。この終端３２を基準としてプランジャー２を往復運動させる。開口部３１は、プランジャー２を突出させる。
【０１０２】
収納部３は、筐体６と一体で構成されてもよい。筐体６を構成する部材が、プランジャー２の周囲の円柱のようになって収納部３が形成されても良い。
【０１０３】
（巻線）
巻線５は、収納部３および中継リング４の外周に巻かれている。巻線５は、導電線であり、電流が通電することで磁界を発生させる。巻線５の巻き数や太さなどは、ソレノイド１の抵抗値などの仕様に基づいて定められる。また、巻線５の材質もソレノイド１の仕様に基づいて定められればよい。
【０１０４】
巻線５は導電性であるので、巻線５の表面（外側表面）には、樹脂テープや樹脂膜などの絶縁性の素材でカバーされることも好適である。この絶縁性のカバーによって、巻線５の外側の筐体６との絶縁性が図られて、ソレノイド１の様々な形態での使用が容易となる。また、発生する磁界を強くすることもできる。
【０１０５】
巻線５は、電流を流す必要があるので、電源と電気的に接続されていることが好適である。例えば、巻線５の一部が引き出されて、電源と接続される。電源は、複数のソレノイド１のそれぞれに個別に設けられてもよいし、並列して集中して設けられてもよい。
【０１０６】
（筐体）
筐体６は、ソレノイド１全体の外形を構成する。特に、筐体６は、収納部３、中継リング４、巻線５などの内部要素を収容して保護する。筐体６は、ソレノイド１の使用態様にあわせた形状を有していればよい。図１、図２では、筐体６は方形を有している。
【０１０７】
例えば、ソレノイド１が、工場の製造ラインに設置される場合には、ソレノイド１が平面に設置されやすいことが適当である。筐体６が方形であることで、ソレノイド１は、平面に設置されやすくなる。
【０１０８】
筐体６は、金属、合金、樹脂など、外形を構成できる素材で形成される。
【０１０９】
（プッシュピン）  
プッシュピン７は、ソレノイド１の動作方式によって設けられる。ソレノイド１が、通電によるプランジャー２の引き戻しによって対象物を押し出す動作方式の場合には、プッシュピン７がプランジャー２に取り付けられる。
【０１１０】
図１、図２に示されるように、プッシュピン７はプランジャー２と逆側に突出するように取り付けられる。プッシュピン７は、プランジャー２が引き戻される動作によって終端３２から突出して対象物を押し出す。このため、プッシュピン７の先端は、対象物にあてがう平面部材を備えていることも適当である。
【０１１１】
あるいは、ソレノイド１が接続される部材の往復運動を実現する場合には、プッシュピン７の先端は、当該部材と嵌合していることも好適である。
【０１１２】
（中継リング）
中継リング４は、収納部３の外周に設けられる磁性体の部材である。上述した通り、巻線５への通電で発生する磁界を、終端３２から開口部３１側に拡大する。この拡大によって、プランジャー２の開口部３１からの突出量が大きくても、プランジャー２は、収納部３に引き戻される。
【０１１３】
中継リング４は、収納部３の外周に設けられるので、中継リング４の断面形状や収納部３の断面形状と略同一であることが適当である。すなわち、中継リング４、収納部３、プランジャー２の断面形状は、略同一であることが適当である。
【０１１４】
また、中継リング４は、プランジャー２の突出が大きい場合に磁界の強い範囲を拡大するので、終端３２に近い側に設けられることが適当である。
【０１１５】
ここで、中継リング４の開口部３１側の端部は、プランジャー２の最大突出時におけるプランジャー２の端部と略一致する位置であることが適当である。図２は、プランジャー２が最大突出時の状態を示している。図２に示されるように、中継リング４の開口部３１側の端部は、プランジャー２の端部と略一致している。
【０１１６】
中継リング４が、このような位置に設けられることで、中継リング４によるプランジャー２の引き戻しの動作効率が高まるからである。すなわち、プランジャー２が最大突出している状態で、巻線５に電流が流れる。巻線５は磁界を発生させるが、中継リング４がこの磁界範囲を拡大する。ちょうどプランジャー２の端部が中継リング４の端部と略一致している状態であることで、中継リング４が拡大した磁界が、プランジャー２に磁力を及ぼせる。
【０１１７】
この磁力が及んだ状態で、中継リング４の磁界は、最大突出状態のプランジャー２を引き戻し始める。引き戻し始められたプランジャー２は、その動作の勢いおよび終端３２を中心とする磁界による磁力によって、更に引き戻される。このさらなる引き戻しにより、プランジャー２は、収納部３に完全に収納される。
【０１１８】
このように、中継リング４の開口部３１側の端部は、最大突出時のプランジャー２の端部と略一致していることが好適である。なお、略一致とは、厳密ではなく、中継リング４の開口部３１側の端部は、最大突出時のプランジャー２の端部と近い距離にあればよい。
【０１１９】
また、中継リング４の長さは、プランジャー２のテーパー部２１の長さと略同一であることも適当である。もちろん、略同一は厳密な同一ではなく、ほぼ同じ程度の長さであることでもよい。
【０１２０】
プランジャー２は、テーパー部２１を有していることも好適である。このテーパー部２１は、図１、図２に示されるように先端に行くに従って尖っている。このように先端に行くに従って尖っていることで、磁界による磁力の影響を受けやすい。このため、テーパー部２１は、磁界による磁力を強く受けて、収納部３に引き戻されやすくなる。
【０１２１】
中継リング４は、上述の通り磁界を拡大できる。この拡大された範囲がテーパー部２１の範囲と略同一となることで、中継リング４による拡大された磁界による引き戻し能力が高まるメリットがある。
【０１２２】
以上のように、中継リング４の形態や形状によって、プランジャー２の引き戻し能力が高まるメリットがある。
【０１２３】
実施の形態１におけるソレノイド１は、従来技術のソレノイドと異なり、プランジャーの突出量を大きくしても、磁界によって確実に収納部３に引き戻すことができる。結果としてロングストロークのプランジャー２の往復動作を実現でき、様々な分野にソレノイド１が適用できる。
【０１２４】
（実施の形態２）
【０１２５】
次に実施の形態２について説明する。実施の形態２については、中継リング４の種々の変形例などについて説明する。
【０１２６】
（複数のリング状部材の積層）
図３は、本発明の実施の形態２におけるソレノイドの正面図である。図３は、図１、図２と同じように、内部が視認できるように透視状態で示されている。図３に示されるソレノイド１の中継リング４は、複数のリング状部材４１の積み重ね（積層）で構成される。例えば、中継リング４の長さが１０ｍｍである場合に、長さ１ｍｍのリング状部材４１が１０枚積み重ねられる。
【０１２７】
このような長さの短い（薄い）リング状部材４１が積層されることで、中継リング４が構成されても良い。リング状部材４１は、磁性体である。このようなリング状部材４１の積層で中継リング４が構成されても、中継リング４の磁界の拡大との効力は同様である。
【０１２８】
また、リング状部材４１の積層によって形成されるので、中継リング４の長さの自由度やフレキシビリティが高まる。例えば、製造されるソレノイド１のプランジャー２の長さやテーパー部２１の長さの変化に対応してリング状部材４１の枚数を変化させれば、中継リング４の長さを自由に変化できる。このため、中継リング４の長さにおけるバリエーション準備の手間とコストを下げることができる。
【０１２９】
また、リング状部材４１の素材が様々に変化させられることで、中継リング４の特性を変化させることができる。例えば、積層される複数のリング状部材４１の一部が非磁性体であることも好適である。一部が非磁性体であることで、中継リング４の機能を変更できる。例えば、中継リング４において磁性体部分を中心にした磁界を生じさせる。すなわち、発生する磁界に変化が生じ、中継リング４による磁界拡大の態様を様々に変化させることができる。
【０１３０】
（空隙）
図４は、本発明の実施の形態２におけるソレノイドの正面図である。図４は、図３と同様に内部を透視状態としている。
【０１３１】
図４に示されるソレノイド１では、中継リング４の所定位置に、収納部３の外周に沿った空隙４２が設けられている。空隙４２があることで、中継リング４が、２箇所に分割されて、収納部３の外周に取り付けられている。このため、中継リング４による磁界の拡大の態様に変化を生じさせることができる。
【０１３２】
例えば、図４では、空隙４２の上方と下方に分割された中継リング４が設けられる。この結果、上方の中継リング４の一部と下方の中継リング４の一部とのそれぞれが、磁界を拡大させる。
【０１３３】
このように分割された磁界の拡大によって、プランジャー２に及ぶ磁界の及ぼし方が複数の段階に分かれることが可能となる。すなわち、図４のソレノイド１では、終端３２、下方の中継リング４の一部、上方の中継リング４の一部のそれぞれを中心とした磁界が発生する。この結果、これら３種類の磁界が、最大突出している状態のプランジャー２へ、３段階で及ぶようになる。
【０１３４】
この３段階の磁界の付与により、最大突出状態から、プランジャー２が順々に磁界を受けて収納部３に完全に引き戻されるようになる。特に、プランジャー２の使用態様が、最大突出状態以外の中程度の突出状態で使用される場合を含むときには、分割された中継リング４による磁界による引き戻しが可能となる。
【０１３５】
空隙４２は、中継リング４の様々な場所に設けられればよい。例えば、中継リング４の略中央に空隙４２が設けられてもよい。略中央に設けられることで、中継リング４が最適に分割されて、磁界の付与の段階を順々とできるからである。
【０１３６】
もちろん、略中央以外に空隙４２が設けられてもよい。
【０１３７】
（凸部）
図５は、本発明の実施の形態２におけるソレノイドの正面図である。図５も図４などと同様に内部を透視状態としている。図５のソレノイド１では、中継リング４が、その外周に外部に突出する凸部４３を有している。
【０１３８】
図５に示されるように、中継リング４は、外側に凸部４３を有した変形状態である。このような凸部４３によって、磁性体である中継リング４の生じさせる磁界に変化を生じさせることができる。
【０１３９】
中継リング４は、プランジャー２が大きく突出する場合に、終端３２付近を中心に発生する磁界で不足する磁界を補う。凸部４３によって、補われる磁界（拡大される磁界）の形態が変化する。このため、プランジャー２の突出量やプランジャー２の引き戻しにおいて求められる動作によっては、磁界の形態が変化することも好ましい。
【０１４０】
凸部４３は、このようなプランジャー２の使用態様に対応する磁界を最適に形成できる。
【０１４１】
（凹部）
図６は、本発明の実施の形態２におけるソレノイドの正面図である。図６も、図５と同様に内部が透視できる状態で示されている。
【０１４２】
図６に示されるソレノイド１では、中継リング４は、その外周に凹部４４を備える。図６のソレノイド１は、図５のソレノイド１と逆の状態である。凹部４４によって、やはり中継リング４は、その構造が変化した状態となる。この結果、中継リング４が拡大する磁界に変化が生じる。
【０１４３】
この磁界の形態変化も、プランジャー２の突出量や引き戻しに必要な仕様によって構成されれば良い。凹部４４は、凸部４３と同様に、磁界変化を生じさせて、プランジャー２に磁力を及ぼしやすくする中継リング４の役割のバリエーションを拡大できる。
【０１４４】
以上のように、実施の形態２におけるソレノイド１は、プランジャー２の引き戻しにおいて、様々な対応力を有することができる。
【０１４５】
（実施の形態３）
【０１４６】
次に実施の形態３について説明する。実施の形態３では、実施の形態１、２で説明したソレノイド１の動作実験結果を説明する。
【０１４７】
図７は、本発明の実施の形態３におけるソレノイドの引き戻し能力を測定した実験結果のグラフである。図７は、横軸にプランジャーの突出量を示し縦軸に引き戻しできる力（単位：ニュートン）を示している。図７のグラフによって、３種類のソレノイドのそれぞれが、プランジャーの突出量の違いでの、引き戻しの力の状態が示されている。
【０１４８】
図７のグラフには、次の３種類のソレノイドの実験結果が示されている。
【０１４９】
（１）従来技術における中継リングの備わってないソレノイド（図７ではノーマルと表記）
【０１５０】
（２）実施の形態１で説明した中継リングの備わっているソレノイド（図７では、一体リングと表記）
【０１５１】
（３）実施の形態２で説明した分離された中継リング（分離リング）の備わっているソレノイド（図７では分離６と表記）
【０１５２】
図７のグラフから、次のことが読み取れる。
【０１５３】
＜１＞突出量であるストローク量が２０ｍｍ以上となる範囲では、ノーマルのソレノイドの引き戻し力が弱い。これは従来技術のソレノイドでは、突出量が大きい場合にはソレノイドとしての使用が難しいことを示している。すなわち、ロングストロークを従来技術のソレノイドで実現できない。
【０１５４】
＜２＞一体リングおよび分離リングのソレノイドは、２０ｍｍ以上の突出量で、高い引き戻し力を有している。これにより、従来技術と異なり、中継リングによる大きな突出量でのプランジャーの引き戻しが十分にできることがわかる。
【０１５５】
＜３＞一体リングおよび分離リングのソレノイドは、大きな突出量で高い引き戻し力を有しているだけでなく、短い突出量での引き戻し力との変化が少ない。これに対して、ノーマルのソレノイドは、短い突出量では引き戻し力が大きいが、大きな突出量では引き戻し力が非常に低下する。すなわち、突出量が大きくなるにつれて、引き戻し力の低下が著しい。
これに対して、一体リングおよび分離リングのソレノイドは、突出量の増加に対する引き戻し力の低下の度合いが少ない。このため、ロングストロークのソレノイドとして適切に使用が可能である。
【０１５６】
＜４＞また、分離リングのソレノイドが一体リングのソレノイドよりもやや引き戻し力が大きい。実施の形態２で説明したように中継リングを分離することで、突出量が大きい場合での段階的な引き戻しが生じることが示されていると考えられる。
【０１５７】
以上のように、実験結果からも本発明のソレノイドの効果が確かめられた。
【０１５８】
なお、実施の形態１〜３で説明されたソレノイド１は、巻線５に電力を供給する電力供給部と、電力供給部の電力供給を制御する制御部と併せて、対象物を往復運動させることができる部品供給・除去装置に適用されてもよい。この場合には、プランジャー２もしくはプッシュピン７が、対象物を往復運動させる。
【０１５９】
このような部品供給・除去装置であっても、実施の形態１〜３で説明した通り、プランジャー２の最大突出量を大きくできるので、対象物の往復運動でのバリエーションが広がるメリットがある。
【０１６０】
なお、実施の形態１〜３で説明されたソレノイドは、本発明の趣旨を説明する一例であり、本発明の趣旨を逸脱しない範囲での変形や改造を含む。
【符号の説明】
【０１６１】
１    ソレノイド
２    プランジャー
２１    テーパー部
３    収納部
３１    開口部
３２    終端
４    中継リング
５    巻線
６    筐体
７    プッシュピン
【図１】
2015177616.tif 000003
【図２】
2015177616.tif 000004
【図３】
2015177616.tif 000005
【図４】
2015177616.tif 000006
【図５】
2015177616.tif 000007
【図６】
2015177616.tif 000008
【図７】
2015177616.tif 000009